(57)【要約】【課題】システム家具のデザイン性向上に貢献できる、化粧サイドパネルを提供する。【解決手段】本発明は、け込み５２を有するキャビネット５０の側面５１に取り付ける化粧サイドパネル１０であって、け込み５２に対応した切欠部１１を有する。け込み５２に対応した切欠部１１を有することで、キャビネット側面５１に取り付けた際に、キャビネット５０のけ込み５２が恰も化粧サイドパネル１０にまで延長したかの外観を呈する。よって、形状の連続性によって化粧サイドパネルとキャビネットとの一体性が向上する。【選択図】図１
2008183111.tif 000002
【特許請求の範囲】
【請求項１】
け込みを有するキャビネットの側面に取り付ける化粧サイドパネルであって、
上記け込みに対応した切欠部を有することを特徴とする、化粧サイドパネル。
【発明の詳細な説明】
【技術分野】
【０００１】
本発明は、システムキッチンなどのシステム家具を構成するキャビネットの側面に取り付ける化粧サイドパネルに関するものである。
【背景技術】
【０００２】
従来のシステムキッチン，それに隣接して配置される作業台等のシステム家具は、複数個のキャビネットを組み合わせて構成したベースと、このベースの上に載置したカウンターと、を備えており、さらに外観上のデザインを高めるために、図３に示すように、端に位置するキャビネット１００の側面１０１に化粧サイドパネル１１０が取り付けられて構成されている。
【０００３】
上記した公知のシステム家具の例として、特許文献１には、側面全体が一枚の化粧板で覆われたシステムキッチンが開示されている。
【０００４】
このような化粧サイドパネル１１０は、使用者や来訪者などの目に付き易い外観部材であるため、システム家具自体のデザイン性向上の他、それが設置される空間を視覚的に区切る役割も果たしている。例えば、システムキッチンに取り付けた化粧サイドパネルは、視覚的に、キッチンとそれに隣接するダイニング，リビングとを区切る印象を使用者や来訪者等に与える。
【０００５】
上記視覚効果を十分に発揮するよう、化粧サイドパネル１１０は、キャビネット１００の構造を考慮して構成されている。即ち、キャビネット１００はその前面下部にけ込み１０２がベースの横幅全体に亘って設けられており、このけ込み１０２によって画成される空間Ｓ１がその長さ方向Ｘでキャビネット１００のサイドの空間Ｓ２と一体的に繋がると、空間を区切る上記機能が弱まってしまう。そこで、化粧サイドパネル１１０は、キャビネット１００の側面１０１に取り付けられた際に、け込み１０２によって画成される空間Ｓ１とキャビネット１００のサイドの空間Ｓ２とを仕切るよう、図３に示すように、横幅Ｗ３（奥行き方向の寸法）がキャビネット１００の底面の奥行きＤ４よりも大きく、即ち、け込み１０２より上方のキャビネット側面１０１の奥行きＤ５と同一寸法に設定されている。従って、従来の化粧サイドパネル１１０は、外形が長方形の平板として構成されて、キャビネット下端のけ込み１０２がこの化粧パネル１１０によって側面から覆われて隠蔽されるようにしている。
【０００６】
このように、従来のシステム家具では化粧サイドパネル１１０によってシステム家具のけ込み１０２を側面から隠すようにしている。
一方、いわゆるペニンシュラ型キッチンと言われる壁面から半島のように突き出たタイプのシステムキッチンでは、下記の特許文献２に示すような特殊なシステムキッチンも提案されている。これは、カウンターを複数の曲線で構成したものであり、そのカウンター形状に対応したキャビネットで構成されている。このシステムキッチンのキャビネットには、壁面に当接する一側面を除く周囲に、け込み１０２が設けられている。しかしながら、この形式のシステムキッチンでは、一般的なシステムキッチンの側面に相当する部分が存在しないために、平板状の化粧サイドパネルを備えることなく構成される。なお、この種の特殊なシステムキッチンでは、ほぼ全周に亘って設けたけ込みがその連続性によって大きくデザイン性向上に寄与しているので、この観点からも、空間を区切るための化粧サイドパネルを設けるようにしていない。
【特許文献１】特開２００２−２３３４２５号公報（図５）
【特許文献２】特開２００３−１２５８６８号公報（図１）
【発明の開示】
【発明が解決しようとする課題】
【０００７】
上記のように、化粧サイドパネル１１０は、キャビネット１００のけ込み１０２の空間Ｓ１とキャビネット１００のサイドの空間Ｓ２とを仕切るよう、前端下部１１１がけ込み表面１０２Ａに垂直な壁部として形成されてけ込みが隠されている。これに対して、化粧サイドパネル１１０の前端下部１１１をけ込み１０２に対応して切り欠くように構成すると、空間を区切ることができなくなる一方では、視覚上、キャビネットとの一体性が向上し、システム家具を構成する個々のキャビネットとの調和が高まり、システム家具のデザイン性向上に貢献することができると考えられるが、従来の化粧サイドパネル１１０は、このような観点から構成されてはいない。
【０００８】
また、特許文献２に示すペニンシュラ型キッチンではそのほぼ全周にけ込みが設けられているが、従来の平板状の化粧サイドパネル１１０を設けた形式のシステム家具に対して、その化粧サイドパネル１１０に、け込み１０２に対応した切欠部を設ける着想には至らなかった。これは、少なくとも特許文献２に記載のペニンシュラ型キッチン自体の特殊な構造によって、即ち、特許文献１に示すようなサイド部（側面）を備えていないために、平板状の化粧サイドパネルを必要としておらず、このけ込みと当該化粧サイドパネルとに関連性がないことに拠る。
【０００９】
本発明は以上の課題に鑑みて創作されたものであり、システム家具のデザイン性向上に貢献できる、化粧サイドパネルを提供することを目的としている。
【課題を解決するための手段】
【００１０】
上記目的を達成するために、本発明は、け込みを有するキャビネットの側面に取り付ける化粧サイドパネルであって、け込みに対応した切欠部を有することを特徴としている。
【発明の効果】
【００１１】
上記構成によれば、化粧サイドパネルにけ込みに対応した切欠部を設けることで、化粧サイドパネルをキャビネット側面に取り付けた際に、キャビネットのけ込みが恰も化粧サイドパネルにまで延長したかの外観を呈することができる。よって、このような形状の連続性によって、化粧サイドパネルとキャビネットとの一体性が向上する。このため、システム家具を構成する部材同士の調和が高められて、システム家具のデザイン性が向上することになる。
【発明を実施するための最良の形態】
【００１２】
以下、図面に示した実施形態に基づいて本発明を詳細に説明する。
図１は本発明の実施形態に係る化粧サイドパネル１０を示す斜視図である。図中に二点鎖線で示す５０は、化粧サイドパネル１０を取り付けるキャビネットを概略的に示したものである。
【００１３】
本実施形態に係る化粧サイドパネル１０は、一枚の平板として構成されており、キャビネット５０の側面５１を覆うように形成されている。具体的には、図１のキャビネット側面５１において斜線を付した領域を覆うように、図示例では全体的に横幅（奥行き方向の寸法）Ｗ１がキャビネット上部側面における奥行きＤ１と同一寸法に設定された縦長の平板として形成されている。
【００１４】
このような構成は従来の化粧サイドパネル１１０と同様であるが、本実施形態に係る化粧サイドパネル１０は、キャビネット５０のけ込み５２に対応した切欠部１１を前端下部に有することを特徴としている。即ち、化粧サイドパネル１０の底辺の横幅（奥行き方向の寸法）Ｗ２は、キャビネット５０の底面の奥行きＤ２と同一寸法に設定されていて、化粧サイドパネル上部の横幅Ｗ１よりも、け込み５２の深さＤ３分だけ短い。これにより、切欠部１１の深さＣ１がけ込みの深さＤ３と同一寸法に設定される。また、切欠部１１の高さＣ２は、け込み５２の高さＨと同一寸法に設定されている。したがって、化粧サイドパネル１０をキャビネット５０の側面５１に取り付けると、切欠部１１を画成する端面１１Ａがけ込み表面５２Ａと面一になる。
【００１５】
化粧サイドパネル１０は、基材に表面化粧処理を施して構成される。一般的に基材には、ＭＤＦやパーチクルボード等が用いられ、表面化粧処理には、艶有り塗装、艶消し塗装、化粧シート貼り等が用いられるが、これらに限定されるものではない。また、この化粧サイドパネルは、例えば、キャビネット５０の扉面材や引出し前板に付けた色や施した仕上げと、同じ或いはそれと美感や質感が同等と使用者が看取できる表面加工が施されている。なお、異なる色や仕上げが施されていてもよい。
【００１６】
化粧サイドパネル１０のキャビネット側面５１への取付けは、例えば接着剤やネジ等を利用して固定することができる。なお、取付けの際に、設置場所のフロアが不陸で化粧サイドパネル１０を垂直に起立させることができない場合には、フロア面に合わせてパネル下部を加工する。また、例えば、キャビネット５０の設置の際に、キャビネット５０の高さを調節用アジャスターによって変更した場合には、化粧サイドパネル１０の全高がそのキャビネット高に対応するように、パネル下部を加工してその高さを調節する。
【００１７】
本実施形態に係る化粧サイドパネル１０は以上説明したように、キャビネット５０のけ込み５２に対応した切欠部１１を有する。よって、キャビネット側面５１に取り付けると、キャビネット５０との一体性が向上するとともに、システム家具を構成する個々の部材との調和が向上し、システム家具のデザイン性向上に貢献することができる。特に、け込み部がシステム家具周囲を囲んでいるように見え、システム家具の塊感が強調されるという視覚的な効果が得られる。また、化粧サイドパネル１０によれば、け込み領域でその長手方向に沿った移動が遮られないので、例えば、「キッチン」から「ダイニング」或いは「リビング」へ使用者の移動が一層容易になる。
【実施例】
【００１８】
次に、本発明における化粧サイドパネルの実施例を示す。
上記化粧サイドパネル１０は、図２（Ａ）に示すように、キャビネット５０上に載置したカウンター６０の側面６１を覆わないようにキャビネット側面に取り付ける形式のものに適用できる他、図２（Ｂ）に示すように、カウンター６０の側面を覆うようにキャビネット側面に取り付ける形式のものにも適用できる。なお、図２（Ａ）に示す化粧サイドパネル１０は、その側面１２がカウンター６０の側面６１と面一になっている。一方、図２（Ｂ）に示す化粧サイドパネル１０では、その上部がカウンター６０の上面６２よりも上方へ突出しているが、化粧サイドパネル１０の上端面１１Ｄとカウンター６０の上面６２とが面一の場合にも適用できる。
【００１９】
以上説明したが、本発明はその趣旨を逸脱しない範囲において様々な形態で実施をすることができる。例えば、本発明の化粧サイドパネルは、キャビネットの外側側面に限らず中央部にニースペース等の凹部を形成したキャビネットの内側側面にも適用できる。さらに、シンク，水栓，加熱調理装置（例えばガスコンロ，ＩＨクッキングヒーター）を備えたシステムキッチンのキャビネット側面に取り付けるものに限らず、システムキッチンに隣接して配置される作業台等のキャビネット側面にも取り付けることができる。或いは、厨房用に限らずその他の事務又は各種作業用など種々のシステム家具のキャビネットに適用することも勿論可能である。本発明の化粧サイドパネルを取り付けるキャビネットの構成は図示例に限定されるものではない。
【図面の簡単な説明】
【００２０】
【図１】本発明の実施形態に係る化粧サイドパネルを示す斜視図である。
【図２】（Ａ）及び（Ｂ）は本発明の実施例に係る化粧サイドパネルを示す斜視図である。
【図３】従来の化粧サイドパネルを示す斜視図である。
【符号の説明】
【００２１】
１０  化粧サイドパネル
１１  切欠部
５０  化粧サイドパネル
５１  側面
５２  け込み
５２Ａ  け込み表面
【図１】
2008183111.tif 000003
【図２】
2008183111.tif 000004
【図３】
2008183111.tif 000005